(57)【特許請求の範囲】
【請求項１】
シートフレームと、
前記シートフレームの前方で前記シートフレームに回転可能に結合する前脚と、
前記シートフレームの後方で前記シートフレームに回転可能に結合する背もたれと、
前記前脚の上端に回転可能に結合するひじ掛けであって、前記ひじ掛けの内部に維持されて前記ひじ掛けに沿って移動し前記背もたれに回転可能に結合する移動部材と、前記ひじ掛けの内部で前記移動部材の移動に対抗する弾性力を提供する第１弾性部材とを含む前記ひじ掛けと、
上端が前記ひじ掛けに回転可能に結合する後脚と、
第２弾性部材を備え、前記第２弾性部材は前記ひじ掛けに弾性的に連結されて前記シートフレームを前記前脚及び前記後脚に対して回転させるシートフレーム駆動装置と、
を含む椅子。
【請求項２】
前記移動部材は前記移動部材に形成された第１ガイドスロットを備え、
前記椅子は、
上端が前記第１ガイドスロットに回転可能に結合し前記シートフレームに回転可能に結合する補助前脚と、
前端が前記前脚に回転可能に結合し前記後脚に対して回転可能に結合する補助後脚とをさらに含む、
請求項１に記載の椅子。
【請求項３】
前記補助前脚に対して回転可能に結合し前記シートフレームに沿って前後方向に移動可能に前記シートフレームの前方に結合する第１スライド部材と、
前記後脚に対して回転可能に結合し前記補助後脚に沿って前後方向に移動可能に結合する第２スライド部材とをさらに含む、
請求項２に記載の椅子。
【請求項４】
前記シートフレームは上側に形成された円弧状の第２ガイドスロットをさらに含み、
前記シートフレーム駆動装置は、
一端が前記シートフレーム駆動装置の一側に結合する第１シャフトと、
一端が前記第１シャフトの他端に結合するリンク部材と、
一端が前記リンク部材の他端に結合し他端が前記第２ガイドスロットに沿って移動する第２シャフトとを含む、
請求項１に記載の椅子。
【請求項５】
前記シートフレーム駆動装置は、
第２ネジと、
前記第２ネジにネジ結合する第１ナットとを含み、
前記第２弾性部材の他端が前記第１ナットに連結される、
請求項１に記載の椅子。
【請求項６】
前記シートフレームは、
支持ピンと、
前記支持ピンにより前記前脚に回転可能に結合する第１シートフレームと、
前記支持ピンにより前記前脚に回転可能に結合し前記支持ピンを中心に前記第１シートフレームに対して相対的に回転する第２シートフレームとを含む、
請求項３に記載の椅子。
【請求項７】
前記移動部材は、
一部が前記移動部材の内部に収容されてその場で回転する第１ネジと、
前記移動部材の内部に収容され、前記第１ネジに結合し、前記第１弾性部材に連結されて前記第１ネジの回転により移動するロッドとを含む、
請求項１に記載の椅子。
【請求項８】
前記補助前脚は、
前記補助前脚に対して回転可能に配置される補助シートと、
前記補助シートを昇降させるための昇降装置とを含む、
請求項２に記載の椅子。
【請求項９】
前記昇降装置は、
ネジ軸と、
前記補助シートの両側に配置され前記ネジ軸にネジ結合して前記ネジ軸に沿ってネジ移動する第２ナットと、
前記補助前脚の下側で前記ネジ軸に垂直に配置される駆動軸と、
前記ネジ軸と前記駆動軸との間に配置され噛み合うウォームホイール及びウォームギアとを含む、
請求項８に記載の椅子。
【請求項１０】
前記昇降装置はラチェット機構により前記駆動軸の一端に結合する取っ手を含む、
請求項９に記載の椅子。
【請求項１１】
前記補助前脚は一端が前記補助前脚の下側に回転可能に結合し他端が前記取っ手の下側に脱着可能に結合する補助取っ手をさらに備える、
請求項１０に記載の椅子。
【発明の詳細な説明】
【技術分野】
【０００１】
本発明は椅子に関し、より詳しくはユーザーの上体の重心移動によって変形可能な椅子に関する。
【背景技術】
【０００２】
椅子はシートと、背もたれと、背もたれ及びシートを支持する脚とを含む。ユーザーが長時間椅子に座っていても疲労感をあまり感じないようにし安定的にユーザーを支持するために、多様な機能を備えた椅子について多くの研究が成されてきた。
多機能椅子の一例として、大韓民国登録実用新案公報第２０-０３５５１２８号は所定の角度で後ろに倒れるように構成された背もたれを備える椅子を開示している。
しかし、従来の多機能椅子は背もたれが後ろに倒れる機能のみを提供し、椅子に着席したユーザーが体を倒したり立ち上がる等ユーザーの姿勢の変化に適応するように構成されていない。
【発明の概要】
【発明が解決しようとする課題】
【０００３】
本発明は前述した問題を解決するためのものであって、本発明の目的は着席したユーザーの重心の移動に応じて変形可能な椅子を提供することにある。
【課題を解決するための手段】
【０００４】
本発明の一実施形態による椅子は、シートフレームと、複数の脚と、背もたれと、ひじ掛けとを含む。複数の脚はシートフレームの前方及び後方でシートフレームに回転可能に結合する。背もたれはシートフレームの後方でシートフレームに回転可能に結合する。ひじ掛けは脚の上端に回転可能に結合する。ひじ掛けは移動部材と第１弾性部材とを含む。移動部材はひじ掛けの内部に維持されひじ掛けに沿って移動し背もたれに回転可能に結合する。第１弾性部材はひじ掛けの内部で移動部材の移動に対抗して弾性復元力を提供する。
【０００５】
移動部材は移動部材に形成された第１ガイドスロットを備える。複数の脚はひじ掛け及びシートフレームに回転可能に結合する前脚と、ひじ掛けに回転可能に結合する後脚と、上端が第１ガイドスロットに回転可能に結合しシートフレームに回転可能に結合する補助前脚と、前端が前脚に回転可能に結合し後脚に対して回転可能に結合する補助後脚とを含んでもよい。
【０００６】
複数の脚は、補助前脚に対して回転可能に結合しシートフレームに沿って前後方向に移動可能に結合する第１スライド部材と、補助後脚に対して回転可能に結合し補助後脚に沿って前後方向に移動可能に結合する第２スライド部材とをさらに含んでもよい。
【０００７】
椅子は、第２弾性部材を備え、第２弾性部材によりひじ掛けに弾力的に連結され、シートフレームを複数の脚に対して相対的に回転させるシートフレーム駆動装置をさらに含んでもよい。
【０００８】
シートフレームは上側に形成された円弧状の第２ガイドスロットをさらに含む。シートフレーム駆動装置は一端がシートフレーム駆動装置の一側に結合する第１シャフトと、一端が第１シャフトの他端に結合するリンク部材と、一端がリンク部材の他端に結合し他端が第２ガイドスロットに沿って移動する第２シャフトとを含む。
【０００９】
シートフレーム駆動装置は、第２ネジと、第２ネジにネジ結合する第１ナットとを含む。第２弾性部材の他端が第１ナットに連結される。
【００１０】
シートフレームは支持ピンと、支持ピンにより前脚に回転可能に結合する第１シートフレームと、支持ピンにより前脚に回転可能に結合し支持ピンを中心として第１シートフレームに対して相対的に回転する第２シートフレームとを含む。
【００１１】
移動部材は第１ネジと、第１ネジにネジ結合し第１弾性部材に連結され第１ネジの回転によりネジ移動するロッドとを含む。
【００１２】
補助前脚は補助前脚に対して回転可能に配置される補助シートと、補助シートを昇降するための昇降装置とを含む。
【００１３】
昇降装置はネジ軸と、補助シートの両側に配置されネジ軸にネジ結合しネジ軸に沿ってネジ移動する第２ナットと、補助前脚の下側でネジ軸に垂直に配置される駆動軸と、ネジ軸と駆動軸との間に配置され噛み合うウォームホイール及びウォームギアとを含む。
【００１４】
昇降装置はラチェット機構により駆動軸の一端に結合する取っ手を含む。
【００１５】
補助前脚は一端が補助前脚の下側に回転可能に結合し他端が取っ手の下側に脱着可能に結合する補助取っ手をさらに備える。
【発明の効果】
【００１６】
本発明の一実施形態による椅子は特別な操作をすることなく、ユーザーの上体の重心移動に伴って容易かつ安定的に後ろに倒れたり元の状態に戻ることができる。また、ユーザーは椅子に座った状態で補助前脚のみを回転させてユーザーのふくらはぎまたは脚を支持するように使用することができる。その上、椅子は立ち上がる機能を提供するため、患者または障害者のようなユーザーが立ち上がるのを助けることができる。さらに、補助前脚が昇降装置を備えて補助シートを昇降させるので、ユーザー（例えば、脚が不自由な患者等）も床からシートフレームに容易に上がり座ることができる。
【図面の簡単な説明】
【００１７】
【図１】本発明の一実施形態による椅子の斜視図である。
【図２】図１のひじ掛けの分解斜視図である。
【図３】図１のひじ掛けの斜視図である。
【図４】図３のIV−IV線に沿った断面図である。
【図５】図３のＶ−Ｖ線に沿った断面図である。
【図６】図１のシートフレーム駆動装置を示した側面図である。
【図７】図１のひじ掛けとシートフレーム駆動装置を示した部分斜視図である。
【図８】図１の椅子の第１の状態を示す側面図である。
【図９】図１の椅子の第２の状態を示す側面図である。
【図１０】図１の椅子の第３の状態を示す側面図である。
【図１１】補助前脚の他の実施形態を示した部分斜視図である。
【図１２】図１１の側面図である。
【発明を実施するための形態】
【００１８】
以下、添付の図面を参照して本発明の椅子の実施形態を説明する。
【００１９】
本発明の実施形態による椅子は三通りの状態で用いることができる。第１の状態（図１及び図８参照）では椅子の背もたれが地面に対してほぼ垂直に位置し、第２の状態（図９参照）では椅子の背もたれが第１の状態から後方に傾斜するように位置し、第３の状態（図１０参照）では椅子の背もたれが第１の状態から上方及び前方へ移動して位置する。
【００２０】
図１を参照すると、本発明の一実施形態による椅子１００はシートフレーム１０と、脚２０と、背もたれ３０と、ひじ掛け４０と、シートフレーム駆動装置５０とを含む。
【００２１】
図１に示すように、シートフレーム１０は第１シートフレーム１１と第２シートフレーム１５とを含む。第１及び第２シートフレーム１１、１５は、上方から見たとき逆Ｕ字形状を有する。第２シートフレーム１５は第１シートフレーム１１の内側に配置される。第２シートフレーム１５と第１シートフレーム１１は第１支持ピン２１ａを中心として互いに対して相対的に回転可能である。第２シートフレーム１５にはユーザーを支持するためにクッション部材１５ａ（または布部材）が装着される。シートフレーム１０は中空の管状部材または中実の棒部材からなる。管状部材または棒部材は多様な断面形状を有してもよい。シートフレーム１０は金属またはプラスチック材質からなる。シートフレーム１０が第２シートフレーム１５なしに構成される場合、クッション部材１５ａは第１シートフレーム１１に装着されてもよい。
【００２２】
脚２０は前脚２１と、後脚２２と、補助前脚２３と、補助後脚２４とを含む。前脚２１、後脚２２、及び補助前脚２３はＵ字形状を有する。脚２０は中空の管状部材または中実の棒部材からなる。管状部材または棒部材は多様な断面形状を有してもよい。脚２０は金属またはプラスチック材質からなる。椅子１００の移動のために、脚２０の下側にキャスターまたは車輪をさらに含むことができる。
【００２３】
前脚２１はシートフレーム１０及びひじ掛け４０を支持する。前脚２１の両側上端はひじ掛け４０の前方に回転可能にヒンジ結合する。前脚２１の上側には第１支持ピン２１ａにより第１及び第２シートフレーム１１、１５が回転可能に結合する。
【００２４】
後脚２２はひじ掛け４０を支持する。後脚２２の両側上端はひじ掛け４０の略中間地点に回転可能にヒンジ結合する。後脚２２は第２スライド部材２２ａにより補助後脚２４と連結される。第２スライド部材２２ａは中空の円筒形状を有する。第２スライド部材２２ａは後脚２２の下側に回転可能に結合する。第２スライド部材２２ａは補助後脚２４に沿って前後方向にスライド可能に補助後脚２４に結合する。従って、後脚２２の下側は補助後脚２４に対して回転可能であり補助後脚２４に沿って前後方向に移動可能である。他の実施形態において、第２スライド部材２２ａが補助後脚２４の任意の位置で固定されるように構成されてもよい。例えば、第２スライド部材２２ａが内側に弾力的に突出する突起を備え、補助後脚２４は前記突起に噛合する複数の溝を備えてもよい。
【００２５】
補助前脚２３は第１の状態または第２の状態においてユーザーの脚またはふくらはぎを支持する。第２の状態においてユーザーの脚を支持するために、補助前脚２３にはクッション部材２３ａ（または布部材）が装着される。補助前脚２３は第１スライド部材２３ｂにより第１シートフレーム１１と連結される。第１スライド部材２３ｂは中空の円筒形状を有する。第１スライド部材２３ｂは補助前脚２３の上側に回転可能に結合する。第１スライド部材２３ｂは第１シートフレーム１１に沿って前後方向にスライド可能に第１シートフレーム１１の前方に結合する。従って、補助前脚２３の上側は第１シートフレーム１１に対して回転可能であり第１シートフレーム１１に沿って前後方向に移動可能である。他の実施形態において、第１スライド部材２３ｂが第１シートフレーム１１の前方の任意の位置で固定されるように構成されてもよい。例えば、第１スライド部材２３ｂが内側に弾力的に突出する突起を備え、第１シートフレーム１１は前記突起に噛合する複数の溝を備えてもよい。
【００２６】
補助後脚２４の両側前端は前脚２１の略中間地点で第２支持ピン２４ａにより結合する。従って、補助後脚２４は前脚２１に対し第２支持ピン２４ａを中心として回転可能である。前述したように、補助後脚２４は第２スライド部材２２ａにより後脚２２と連結される。
【００２７】
背もたれ３０はユーザーの背中を支持する。背もたれ３０は逆Ｕ字形状を有する。背もたれ３０の両側下端は外側に延びている。図１に示すように、背もたれ３０は略中間地点で回転軸４５ｂを介してひじ掛け４０に回転可能に結合する。背もたれ３０の下側は後述する第１シャフト５５により第１シートフレーム１１とシートフレーム駆動装置５０に回転可能に結合する。
【００２８】
背もたれ３０は中空の管状部材または中実の棒部材からなる。管状部材または棒部材は多様な断面形状を有してもよい。背もたれ３０は金属またはプラスチック材質からなる。
【００２９】
図２〜図４を参照すると、ひじ掛け４０はひじ掛け本体４１と、移動部材４２と、第１弾性部材４３とを含む。
【００３０】
ひじ掛け本体４１はリセス４１ａと、第１レール溝４１ｂと、第２レール溝４１ｃとを含む。リセス４１ａはひじ掛け本体４１の一側面から内側に陥没している。第１レール溝４１ｂは第１レール溝４１ｂに収容される移動部材４２をガイドする。第２レール溝４１ｃには前脚２１及び後脚２２の上端がヒンジ結合する。図２に示すように、第１及び第２レール溝４１b、４１ｃは並んで形成されている。第１レール溝４１ｂはＣ字形状断面を有し、第２レール溝４１ｃは逆Ｕ字形状断面を有する。
【００３１】
移動部材４２は第１レール溝４１ｂに収容され第１レール溝４１ｂに沿って移動する。図４に示すように、移動部材４２は第１ネジ４２ａとロッド４２ｂとを備える。第１ネジ４２ａの一部は移動部材４２の後端外側に露出しており、残りの一部は移動部材の内側に収容される。第１ネジ４２ａはその場で回転するように構成される。ロッド４２ｂは移動部材４２の内側に収容されている。ロッド４２ｂの一側には第１ネジ４２ａが収容されネジ結合し他端は第１弾性部材４３に連結される。第１ネジ４２ａが一方向に回転するに伴い、ロッド４２ｂは移動部材４２の内側で移動する。
【００３２】
第１弾性部材４３はひじ掛け本体４１と移動部材４２との間に連結され弾性力を提供する。第１弾性部材４３は引張ばねを含んでもよい。第１弾性部材４３の一端は第１レール溝４１ｂ（ひじ掛け本体４１）に連結され、他端はロッド４２ｂの他端に連結される。第１ネジ４２ａの回転によりロッド４２ｂが移動部材４２の内側でネジ移動すると、第１レール溝４１ｂの前端とロッド４２ｂの前端との間の距離は調節され、第１弾性部材４３の長さが調節される。従って、第１弾性部材４３がひじ掛け本体４１と移動部材４２との間に提供する弾性力が調節される。結果的に、椅子１００が第１の状態から第２の状態に切り替わるとき背もたれ３０に作用する弾性力が調節される。
【００３３】
図２〜図４に示すように、移動部材４２は前方下側に形成された第１ガイドスロット４４を備える。また、補助前脚２３の上端は第１ガイドスロット４４を介して移動部材４２に連結される。補助前脚２３の上端は移動部材４２とともにひじ掛け本体４１に対し相対的に移動する。補助前脚２３の上端は第１ガイドスロット４４に沿って前後方向に移動可能であり移動部材４２に対して回転可能である。第１ガイドスロット４４の長さが長く形成されると、補助前脚２３の移動距離が長くなる。従って、ユーザーは第１の状態で補助前脚２３のみの傾斜角度を調節することもできる。
【００３４】
図２〜図４に示すように、ひじ掛け４０は第１ストッパ４５をさらに含む。第１ストッパ４５は移動部材４２をひじ掛け本体４１に対し任意の位置で固定する。移動部材４２とひじ掛け本体４１との間の相対的な移動が制限されると、背もたれ３０が回転することが制限される。第１ストッパ４５はレバー４５ａと、回転軸４５ｂと、カム要素４５ｃとを含む。レバー４５ａは回転軸４５ｂの一端と結合する。図５に示すように、回転軸４５ｂは移動部材４２の前方下側に配置される第１ブラケット４５ｄにより回転可能に支持される。回転軸４５ｂにはカム要素４５ｃが結合する。カム要素４５ｃはレバー４５ａの回転により第１レール溝４１ｂの下側に選択的に接触する。カム要素４５ｃと第１レール溝４１ｂとの間の接触力を増大させるために第１レール溝４１ｂの下側にはひじ掛け本体４１の長手方向に沿って複数の突起または溝が形成されてもよい。回転軸４５ｂの他端は背もたれ３０の下側に回転可能に結合する。従って、背もたれ３０の略中間地点は移動部材４２とともにひじ掛け本体４１に対し相対的に移動する。他の実施形態において、第１ストッパは背もたれ３０とシートフレーム１０との間に設けられてもよい。
【００３５】
シートフレーム駆動装置５０はシートフレーム１０を複数の脚２０に対して回転させる。図６に示すように、シートフレーム駆動装置５０の前方が後脚２２の上側に回転可能に結合する。シートフレーム駆動装置５０は第２弾性部材５０ａによりひじ掛け４０と連結される。具体的には、第２弾性部材５０ａの上端はひじ掛け本体４１の下側に連結され、下端はシートフレーム駆動装置５０に連結される。第１の状態において、第２弾性部材５０ａは引張されており弾性復元力を有している。椅子１００が第１の状態から第３の状態に切り替わるとき、シートフレーム駆動装置５０は第１シートフレーム１１が後脚２２に対して回転するのを助ける。また、シートフレーム駆動装置５０は、第２シートフレーム１５が第１シートフレーム１１に対し相対的にさらに回転するのを助ける。シートフレーム駆動装置５０はボディ５１と、第２ネジ５２と、第１ナット５３と、第２ストッパ５４とを含む。
【００３６】
ボディ５１の上側には第１ナット５３と第２弾性部材５０ａの連結のためのスロット５１ａが形成されている。第２ネジ５２はボディ５１の後端から前方に挿入される。第２ネジ５２はボディ５１に対しネジ移動せずにその場で回転するように構成される。第１ナット５３は第２弾性部材５０ａの下端と連結され第２ネジ５２とネジ結合する。第２ネジ５２が回転するに伴い、第１ナット５３はスロット５１ａに沿って移動する。第１ナット５３の移動により第２弾性部材５０ａの長さが変わる。従って、第２弾性部材５０ａの弾性力が調節される。第２ストッパ５４はボディ５１の前端に設けられる。第２ストッパ５４は後脚２２の上側に形成された第２ブラケット２２ｂと連結される。第２ブラケット２２ｂは円弧状の第３ガイドスロット２２ｃを備える。第２ストッパ５４は第３ガイドスロット２２ｃに沿って移動可能でありシートフレーム駆動装置５０を任意の位置で固定する。他の実施形態において、第２ストッパは第３支持ピン２２ｄの位置に設けられるラチェット装置を含んでもよい。
【００３７】
図７に示すように、第１シャフト５５の一端はボディ５１の一側に結合し、他端はリンク部材５６の一端に結合する。第１シャフト５５は第１シートフレーム１１に連結される。第１シャフト５５は第１シートフレーム１１に対して回転可能である。第１シャフト５５は背もたれ３０を回転可能に支持する。リンク部材５６の他端には第２シャフト５６ａが結合する。第２シートフレーム１５はシートフレーム駆動装置５０との連結のための第３ブラケット１５ｂを備える。第３ブラケット１５ｂは第２シートフレーム１５の上側に位置する。第３ブラケット１５ｂは円弧状の第２ガイドスロット１５ｃを備える。第２シャフト５６ａは第３ブラケット１５ｂに対して回転可能であり第２ガイドスロット１５ｃに沿って移動可能である。第１シートフレーム１１が前脚２１に対して回転しながらシートフレーム駆動装置５０が後脚２２に対して回転するに伴い、第１シャフト５５及びリンク部材５６はシートフレーム駆動装置５０とともに回転する。その結果、第２シャフト５６ａは第２ガイドスロット１５ｃに沿って移動して第２シートフレーム１５を第１シートフレーム１１よりも時計方向にさらに回転させる。他の実施形態において、椅子が第２シートフレームを備えない場合、第１シャフトは第１シートフレームのみに直接連結されてもよい。
【００３８】
以下、図８〜図１０を参照して、本発明の一実施形態による椅子１００の作動に関して説明をすると次の通りである。
【００３９】
ユーザーは通常図８に示す第１の状態で椅子１００を使用する。第１の状態において、ユーザーは補助前脚２３のみを第１シートフレーム１１に対し反時計方向に回転させて使用することもできる。ユーザーが補助前脚２３を反時計方向に回転させると、補助前脚２３の上端は第１ガイドスロット４４（図２及び図３参照）に沿って後方へ移動し、第１シートフレーム１１と補助前脚２３との間に連結された第１スライド部材２３ｂは第１シートフレーム１１に沿って前方へ移動する。ユーザーが補助前脚２３を時計方向に回転させなおすと、補助前脚２３の上端は第１ガイドスロット４４に沿って前方へ移動し、第１スライド部材２３ｂは第１シートフレーム１１に沿って後方へ移動する。
【００４０】
ユーザーが上体を後ろに倒すに伴い、椅子１００が第１の状態から図９に示す第２の状態に切り替わる。ユーザーが上体を後ろに倒すと、背もたれ３０がユーザーの上体の重心の移動により反時計方向に回転する。移動部材４２は背もたれ３０の回転により第１ガイドスロット４４とともにひじ掛け４０に対し相対的に後方へ移動する。それに伴い、補助前脚２３の上端が移動部材４２とともに後方へ移動する。その結果、補助前脚２３は第１シートフレーム１１に対し反時計方向に回転する。第１弾性部材４３（図４参照）は移動部材４２の移動により引張される。即ち、第１弾性部材４３には弾性復元力が蓄えられる。
【００４１】
ユーザーが上体を前に起こすに伴い、椅子１００が再び第２の状態から第１の状態に切り替わる。ユーザーが上体を前に起こすと、背もたれ３０は第１弾性部材４３（図４参照）に蓄えられた弾性復元力により時計方向に回転する。移動部材４２が背もたれ３０の回転により第１ガイドスロット４４とともにひじ掛け４０に対し相対的に前方へ移動して、補助前脚２３の上端はユーザーの脚の重さまたは補助前脚２３の自重により移動部材４２とともに前方へ移動する。その結果、補助前脚２３は第１シートフレーム１１に対し時計方向に回転する。
【００４２】
椅子１００が第１の状態と第２の状態との間で切り替わる間、第１及び第２シートフレーム１１、１５と、前脚２１と、後脚２２と、補助後脚２４は同一の姿勢を維持する。
【００４３】
ユーザーが第２ストッパ５４をロック解除した状態で上体を前に曲げるに伴い、椅子１００が第１の状態から図１０に示す第３の状態に切り替わる。ユーザーが上体を前に曲げると、ユーザーの上体の重心がシートフレーム１０の前方へ移動する。それに従い、第１及び第２シートフレーム１１、１５が時計方向に回転する。背もたれ３０及びひじ掛け４０は第１及び第２シートフレーム１１、１５の移動及びシートフレーム駆動装置５０の弾性復元力により時計方向に回転する。後脚２２の下側はひじ掛け４０の回転により補助後脚２４に沿って前方へ移動する。椅子１００が第１の状態から第３の状態に切り替わる間、第２シートフレーム１５は第１シートフレーム１１よりも時計方向にさらに回転する。具体的には、シートフレーム駆動装置５０はひじ掛け４０の回転により第３支持ピン２２ｄを中心として時計方向に回転する。第１シャフト５５と、リンク部材５６と、第２シャフト５６ａはシートフレーム駆動装置５０により回転する。これにより、第２シャフト５６ａは第２シートフレーム１５に備えられた第２ガイドスロット１５ｃに掛かり第２シートフレーム１５を第１シートフレーム１１に対し相対的にさらに回転させる。
【００４４】
ユーザーが補助前脚２３を足で踏んだ状態で椅子に座りながら第２シートフレーム１５に体重を加えると、椅子１００が第３の状態から第１の状態に切り替わる。ユーザーの体重が第２シートフレーム１５に伝わると、第２シートフレーム１５は反時計方向に回転する。シートフレーム駆動装置５０は第２シートフレーム１５の回転により第１シャフト５５と、リンク部材５６と、第２シャフト５６ａとともに反時計方向に回転する。この過程において、第２シートフレーム１５は第１シートフレーム１１と重なる。そして、背もたれ３０及びひじ掛け４０が反時計方向に回転する。後脚２２の下側はひじ掛け４０の回転により補助後脚２４に沿って後方へ移動する。
【００４５】
前述したように、ユーザーは椅子１００を多様な姿勢で用いることができる。また、ユーザーは体重を移動させることによって椅子１００の姿勢を第１〜第３の状態に容易に切り替えることができる。
【００４６】
図１１及び図１２に示すように、補助前脚２００は横バー２０１と横バー２０１の両側で横バー２０１に対し垂直に延びる縦バー２０２を含む。この実施形態による縦バー２０２の上端は図１〜図１０に示す実施形態による補助前脚２１と同様にひじ掛け４０の前方（即ち、第１ガイドスロット４４）に回転可能に結合する。縦バー２０２は第３スライド部材２００ａにより第１シートフレーム１１に連結される。第３スライド部材２００ａは中空の円筒形状を有する。第３スライド部材２００ａは第１シートフレーム１１の前端に対して回転可能に結合する。第３スライド部材２００ａは縦バー２０２に沿って上下方向にスライド可能に縦バー２０２の上側に結合する。また、第３スライド部材２００ａが縦バー２０２の上側の任意の位置で固定されるように構成されてもよい。例えば、第３スライド部材２００ａが内側に弾力的に突出する突起を備え、縦バー２０２の上側に前記突起に噛合する複数の溝を備えてもよい。
【００４７】
図１１及び図１２を参照すると、補助前脚２００は補助シート２１０と、昇降装置２２０と、補助取っ手２３０とを含む。
【００４８】
補助シート２１０は縦バー２０２に対して回転可能に結合する。補助シート２１０が地面と平行に配置されるとき、補助シート２１０はシートの役割をする。補助シート２１０が縦バー２０２と平行に配置されるとき、補助シート２１０は図１〜図１０に示す実施形態のクッション部材２３ａと同様に第１の状態または第２の状態でユーザーの脚またはふくらはぎを支持する。
【００４９】
昇降装置２２０は補助シート２１０を上下方向に昇降させる役割をする。昇降装置２２０はネジ軸２２１と、第２ナット２２２と、ウォームホイール２２３と、駆動軸２２４と、ウォームギア２２４ａと、取っ手２２５と、ラチェット機構２２６と、レバー２２７を含む。
【００５０】
ネジ軸２２１は縦バー２０２の内側で縦バー２０２に平行に配置される。ネジ軸２２１の上端は第３スライド部材２００ａに回転可能に連結され、下端は縦バー２０２の両側に回転可能に連結される。他の実施形態において、ネジ軸は補助シートの下降を容易にするために複列のネジで構成されてもよい。第２ナット２２２はネジ軸２２１にネジ結合しネジ軸２２１の回転によりネジ軸２２１に沿ってネジ移動する。２つの第２ナット２２２は連結軸２２２ａにより連結される。連結軸２２２ａの上端には補助シート２１０が結合する。ウォームホイール２２３はネジ軸２２１の下側に結合している。
【００５１】
駆動軸２２４は前脚２００の下側でネジ軸２２１に対し垂直であり横バー２０１に対し平行に配置される。ウォームギア２２４ａは駆動軸２２４に形成されウォームホイール２２３に噛み合う。取っ手２２５は駆動軸２２４の両端に結合する。取っ手２２５は駆動軸２２４を中心に前後方向に往復回転する。また、椅子１００が第１の状態から第３の状態に切り替わるとき、ユーザーが取っ手２２５につかまってこれを支えに立ち上がることができる。ラチェット機構２２６は駆動軸２２４の両端と取っ手２２５の下端との間に配置される。ラチェット機構２２６はラチェットホイールと爪とを含みラチェットホイールが一方向に回転し爪によってラチェットホイールの逆方向回転を防止するように構成される。即ち、ラチェット機構２２６は取っ手２２５の往復回転により駆動軸２２４を一方向に回転させる。レバー２２７はラチェット機構２２６をロックまたはロック解除する。レバー２２７がラチェット機構２２６をロックした状態のとき、ユーザーは取っ手２２５を往復回転させて駆動軸２２４を一方向に回転させることができる。駆動軸２２４が一方向に回転すると、ウォームギア２２４ａとウォームホイール２２３の噛合によりネジ軸２２１が一方向に回転する。その結果、第２ナット２２２は補助シート２１０とともに上方に移動する。
【００５２】
レバー２２７がラチェット機構２２６をロック解除した状態のとき、ウォームギア２２４ａは前記一方向と反対方向に自由に回転可能である。そして、ウォームギア２２４ａとウォームホイール２２３により噛み合っているネジ軸２２１も前記一方向と反対方向に自由に回転可能である。従って、補助シート２１０にユーザーが座っている場合、ユーザーの自身の体重により第２ナット２２２がネジ軸２２１を回転させながら下方に移動する。他の実施形態において、昇降装置はネジ軸２２１を駆動させるための駆動モータと駆動モータを制御するための操作部で構成されてもよい。
【００５３】
補助取っ手２３０の一端は縦バー２０２の下側に回転可能に結合し、他端は取っ手２２５の下側に脱着可能に結合する。取っ手２２５を用いないとき、補助取っ手２３０は取っ手２２５を固定する。補助シート２１０が下側に位置するとき、ユーザーは補助取っ手２３０につかまって補助シート２１０に上がり座ることができる。
【００５４】
以上で説明した本発明は、前述した実施形態および添付の図面によって限定されるのではなく、本発明の技術的思想を逸脱しない範囲内で様々な置換、変形および変更が可能であるということが本発明の属する分野で通常の知識を有する者にとって明らかである。
【図１】
0005570658.tif 000002
【図２】
0005570658.tif 000003
【図３】
0005570658.tif 000004
【図４】
0005570658.tif 000005
【図５】
0005570658.tif 000006
【図６】
0005570658.tif 000007
【図７】
0005570658.tif 000008
【図８】
0005570658.tif 000009
【図９】
0005570658.tif 000010
【図１０】
0005570658.tif 000011
【図１１】
0005570658.tif 000012
【図１２】
0005570658.tif 000013